(57)【要約】【課題】  偏心錘の取着及び取外しが容易な振動モータの提供。【解決手段】  小形モータ本体１から長く突出したモータ軸１ａに錘担持板２を以って偏心錘３を取着して成る振動モータであって、錘担持板２は、偏心錘３を載せる受け板部２ａと、この受け板部２ａの両端から拡開状に屈曲し、先端側にモータ軸１ａを通す通孔Ｈを備えた一対のばね性吊り板部２ｂ，２ｂとを有し、コの字状に成形されている。偏心錘３は、モータ軸１ａをその長さ方向に沿って受容する断面半円の軸受け溝３ａと、この軸受け溝３ａとは反対側周面で平行に延び、受け板部２ａが嵌る係合部としての位置決め溝３ｂを有する。モータ軸１ａに対する錘担持板２を回り止めする回り止め手段は、モータ軸１ａに形成されたＤ形断面部Ｓと通孔Ｈ，Ｈとから成る。【選択図】      図１
2005086840.tif 000002
【特許請求の範囲】
【請求項１】
モータ軸に錘担持板を以って偏心錘を取着した振動モータであって、前記錘担持板は、前記偏心錘を載せる受け板部と、この受け板部の両端から拡開状に屈曲し、先端側に前記モータ軸を通す通孔を備えた一対のばね性吊り板部とを有し、前記偏心錘は、前記モータ軸をその長さ方向に沿って受容する軸受け溝と、この軸受け溝とは反対側で平行に延び、前記受け板部と係合する係合部とを有し、前記モータ軸に対する前記錘担持板とを回り止めする回り止め手段を備えて成ることを特徴とする振動モータ。
【請求項２】
請求項１において、前記回り止め手段は、前記モータ軸に各通孔に対応して形成され、前記通孔を回り止めするための異形断面部であることを特徴とする振動モータ。
【請求項３】
請求項２において、前記異形断面部はＤ形断面部であることを特徴とする特徴とする振動モータ。
【請求項４】
請求項１において、前記回り止め手段は、前記モータ軸に形成され、前記２つの通孔を両端段差で掛かり止める一つの異形断面部であることを特徴とする振動モータ。
【請求項５】
請求項４において、前記異形断面部はＤ形断面部であることを特徴とする振動モータ。
【請求項６】
請求項３又は請求項５において、前記通孔の孔輪郭は前記吊り板部の先端側が直線輪郭でその反対側が馬蹄形輪郭であることを特徴とする振動モータ。
【請求項７】
請求項１乃至請求項６のいずれか一項において、前記係合部は前記受け板部が嵌る溝であることを特徴とする振動モータ。
【発明の詳細な説明】
【技術分野】
【０００１】
本発明は、モータ軸に偏心錘を取着した振動モータに関し、特に、偏心錘の取着及び取外しが容易な振動モータに関する。
【背景技術】
【０００２】
従来一般に、振動モータにおいて、モータ軸に偏心錘を取着する方法は、偏心錘に形成された軸受け溝にモータ軸を収めてから軸受け溝の両側に突出した挟着用突片を工具等で溝側に塑性変形させてモータ軸を加締固定するものである。
【発明の開示】
【発明が解決しようとする課題】
【０００３】
しかしながら、上記加締固定法では偏心錘に一体的に形成されている挟着用突片を塑性変形するものであることから、使用済み振動モータにおいては偏心錘の取外しに手間を要し、その再利用が困難である。
【０００４】
そこで上記問題点に鑑み、本発明の課題は、偏心錘の取着及び取外しが容易な振動モータを提供することにある。
【課題を解決するための手段】
【０００５】
上記課題を解決するため、本発明は、モータ軸に錘担持板を以って偏心錘を取着した振動モータであって、錘担持板は、偏心錘を載せる受け板部と、この受け板部の両端から拡開状に屈曲し、先端側に前記モータ軸を通す通孔を備えた一対のばね性吊り板部とを有し、偏心錘は、モータ軸をその長さ方向に沿って受容する軸受け溝と、この軸受け溝とは反対側で平行に延び、受け板部と係合する係合部とを有し、モータ軸に対する錘担持板を回り止めする回り止め手段を備えて成る。
【０００６】
偏心錘をモータ軸に取着する際には、錘担持板の受け板部に偏心錘の係合部を係合させ、錘担持板の一対のばね性吊り板部を指又は工具等で挟み込んで持ち、各通孔にモータ軸を通した後、ばね性吊り板部を放すと、その復元力により一対の吊り板部が拡開して戻るため、モータ軸に錘担持板が掛かり止る。モータ回転中では、回り止め手段がモータ軸に対する錘担持板を回り止めし、受け板部が遠心力による偏心錘を受け止めているため、錘担持板及び偏心錘がモータ軸と共に回転し、偏心錘のガタ付き等は発生しない。偏心錘を取外す際には、一対のばね性吊り板部を挟み込んで持ち、通孔をモータ軸から外すだけで、偏心錘，錘担持板及びモータ本体との相互分解を実現できる。
【０００７】
回り止め手段としては、例えば軸受け溝内にゴム等の摩擦材を張り合わせ、この摩擦材でモータ軸との滑り止め作用を発揮させるようにしても良いが、部品点数の削減においては、モータ軸に各通孔に対応して形成され、この通孔を回り止めするための異形断面部とすることができる。この異形断面部としてはＤ形断面部が望ましい。
【０００８】
しかし、２箇所の異形断面部に２つの通孔を位置決めする必要があるため、回り止め手段としては、モータ軸には２つの通孔を両端段差で掛かり止める一つの異形断面部を形成するのが良い。この異形断面部もＤ形断面部とするのが望ましい。モータ軸に２つの通孔を一挙に通した後、一対の吊り板部を放すだけで、吊り板部の弾性復元力を以って一対の吊り板部が相離反し、両端段差に通孔の周縁が自ずと当接するので、位置決めが容易となる。
【０００９】
通孔の孔輪郭としては、Ｄ形断面部への掛かり止め力を強くするには、吊り板部の先端側が直線輪郭でその反対側が馬蹄形輪郭とするのが良い。上側の直線輪郭付近が段差面に衝合するため、抜け止め力が高くなる。
【００１０】
なお、係合部としては突条として、受け板部にそれが嵌るスリットを設けても良いが、受け板部の強度が低下するため、係合部としては受け板部が嵌る溝とするのが望ましい。
【発明の効果】
【００１１】
本発明は、偏心錘を抱持する錘担持板をその通孔によりモータ軸に吊るして成る取着構造であるため、偏心錘の取着及び取外しが容易な振動モータを実現できる。
【発明を実施するための最良の形態】
【００１２】
次に、本発明の実施形態を添付図面に基づいて説明する。
【００１３】
図１は本発明の実施例に係る振動モータを示す斜視図、図２はその組立て斜視図、図３（ａ）は振動モータにおける取着構造を示す一部断面正面図、（ｂ）はその右側面図、（ｃ）は（ａ）におけるＡ−Ａ′線に沿って切断した状態を示す断面図である。
【００１４】
本例の振動モータは、小形モータ本体１から長く突出したモータ軸１ａに錘担持板２を以って偏心錘３を取着して成る。
【００１５】
錘担持板２は、偏心錘３を載せる受け板部２ａと、この受け板部２ａの両端から拡開状に屈曲し、先端側にモータ軸１ａを通す通孔Ｈを備えた一対のばね性吊り板部２ｂ，２ｂとを有し、コの字状に成形されている。
【００１６】
偏心錘３は、タングステン等の高比重金属を焼結した略半円柱状であって、モータ軸１ａをその長さ方向に沿って受容する断面半円の軸受け溝３ａと、この軸受け溝３ａとは反対側周面で平行に延び、受け板部２ａが嵌る係合部としての位置決め溝３ｂを有する。モータ軸１ａに対する錘担持板２とを回り止めする回り止め手段は、モータ軸１ａに形成されたＤ形断面部Ｓと通孔Ｈ，Ｈとから成り、各通孔Ｈの孔輪郭は吊り板部２ｂの先端側が直線輪郭でその反対側が馬蹄形輪郭となっている。
【００１７】
このような取着構造の振動モータにおいて偏心錘３をモータ軸１ａに取着する際には、錘担持板２の受け板部２ａに偏心錘３の位置決め溝３ｂを係合させ、錘担持板２の一対のばね性吊り板部２ｂを指又は工具等で挟み込んで持ち、各通孔Ｈにモータ軸１ａと通した後、ばね性吊り板部２ｂを放すと、その復元力により一対の吊り板部２ｂが拡開して戻るため、モータ軸１ａのＤ形断面部Ｓの両端段差に通孔Ｈの周縁が掛かり止る。モータ回転中では、回り止め手段がＤ形断面部Ｓと通孔Ｈ，Ｈとであって、受け板部２ａが遠心力による偏心錘３を受け止めているため、錘担持板２及び偏心錘３がモータ軸１ａと共に回転し、偏心錘３のガタ付き等は発生しない。偏心錘３を取外す際には、一対のばね性吊り板部２ｂを挟み込んで持ち、通孔Ｈをモータ軸１ａから外すだけで、偏心錘３，錘担持板２及びモータ本体１との相互分解を実現できる。
【００１８】
特に、本例ではモータ軸１ａには２つの通孔Ｈ，Ｈを両端段差で掛かり止める一つの異形断面部であるＤ形断面部Ｓが形成されているため、モータ軸１ａに２つの通孔Ｈを一挙に通した後、一対の吊り板部２ｂを放すだけで、吊り板部２ｂの弾性復元力を以って一対の吊り板部２ｂが相離反し、Ｄ形断面部Ｓの両端段差に通孔Ｈ，Ｈの周縁が自ずと当接するので、位置決めが容易となる。また、通孔Ｈの孔輪郭としては、Ｄ形断面部Ｓへの掛かり止め力を強くするには、吊り板部２ｂの先端側が直線輪郭でその反対側が馬蹄形輪郭となっているので、上側の直線輪郭付近が段差面に衝合し、抜け止め力が高くなる。
【図面の簡単な説明】
【００１９】
【図１】本発明の実施例に係る振動モータを示す斜視図である。
【図２】同振動モータの組立て斜視図である
【図３】（ａ）は振動モータにおける取着構造を示す一部断面正面図、（ｂ）はその右側面図、（ｃ）は（ａ）におけるＡ−Ａ′線に沿って切断した状態を示す断面図である。
【符号の説明】
【００２０】
１…小形モータ本体
１ａ…モータ軸
２…錘担持板
２ａ…受け板部
２ｂ…吊り板部
３…偏心錘
３ａ…軸受け溝
３ｂ…位置決め溝
Ｈ…通孔
Ｓ…Ｄ形断面部
【図１】
2005086840.tif 000003
【図２】
2005086840.tif 000004
【図３】
2005086840.tif 000005